(57)【特許請求の範囲】
【請求項１】
制御盤のシャーシを断面Ｌ型形状に構成し、前記断面Ｌ型形状のシャーシのＬ型の両面に、制御基板を取付けた第１の補助シャーシが直接取付けられ、断面Ｌ型形状のシャーシの補強体をなし、前記断面Ｌ型形状のシャーシ全体を一体のカバーで覆って箱状の構成にして、
前記制御盤のシャーシ底面に第２の補助シャーシを取付け、前記第２の補助シャーシには両面に機器ユニットが搭載され、一方の面には操作を必要とする機器ユニットを取付け、もう一方の面には、操作を必要としない機器ユニットを取付け、前記操作を必要としない機器ユニットには１次側配線と２次側配線が接続され、該１次側配線は前記第２の補助シャーシに設けられた孔部を通して接続され、前記２次側配線は前記第２の補助シャーシをまたぎ、前記操作を必要とする機器ユニットに接続されていることを特徴とする制御盤構造。
【請求項２】
前記カバーの材料を絶縁性の材料としたことを特徴とする請求項１記載の制御盤構造。
【請求項３】
制御盤のシャーシに補助シャーシを取付け、全体を一体のカバーで覆って箱状の構成にし、前記補助シャーシには両面に機器ユニットが搭載され、一方の面には操作を必要とする機器ユニットを取付け、もう一方の面には、操作を必要としない機器ユニットを取付け、前記操作を必要としない機器ユニットには１次側配線と２次側配線が接続され、該１次側配線は前記補助シャーシに設けられた孔部を通して接続され、前記２次側配線は前記補助シャーシをまたぎ、前記操作を必要とする機器ユニットに接続されていることを特徴とする制御盤構造。
【請求項４】
前記操作を必要としない機器ユニットは、前記補助シャーシとは離隔して配置され、該機器ユニットと該シャーシの間に設けた空間を介して、他の補助シャーシの他の機器ユニットの取付け・取外しが可能であることを特徴とする請求項３記載の制御盤構造。
【発明の詳細な説明】
【０００１】
【発明の属する技術分野】
本発明は制御盤に係り、特にポンプ等の運転を制御する、小型の制御盤の構造に関する。
【０００２】
【従来の技術】
図７は、従来の制御盤の内部構造を示している。制御盤の箱形状をなしている外囲器が盤ケース１ｄで、そのケース１ｄの底部には、１次電源引き込み用孔２、電動機への配線用孔３、その他外部警報信号線等の配線用の孔４が開けられ、又、ケース１ｄ内部に各種の機器ユニット類を固定するシャーシ１４ｄが取付けられている。
【０００３】
この従来例では、盤内部に取付られる機器ユニット・器具類は、１次電源用端子５、ノイズフィルター７、漏電遮断器８，９、２台のインバータ１０，１１、電動機配線用端子６、制御基板１２、液面計用の基板１３等である。これらの機器ユニット・器具類は、図９に示されているようにシャーシ１４ｄに平面的に全てが取付けられている。
【０００４】
図８は、この制御盤の扉の構造を示す。この制御盤の扉１６には、図８に示すように、ポンプ等を運転操作するための押しボタン群１７、運転モード、運転号機の切替スイッチ１８、運転状態を監視する電流計１９、運転表示灯２０、故障表示灯２１等が配置されている。
これらの機器は、図９に示す制御基板１２から配線されているもの、又、電流計のように直接配線されているものなどがある。
【０００５】
【発明が解決しようとする課題】
このような従来の制御盤の構成、即ち、箱状の盤ケースの奥に平面状のシャーシを固定し、機器ユニット・器具類をそのシャーシに取り付け、且つ前面扉に操作ボタン及び表示装置等を取り付けた構造では、機器の保守点検等を考慮すると、平面的に、シャーシを使用することしかできない。また、扉には、多くの情報を表示する、又は操作をするための機器類を取付けるために、扉も平面的にのみ使用され、信号の伝達には多くの配線が使用されているので、配線が複雑となる。このため、従来の制御盤は、スペースに無駄が多く、機能の割に大型となり、製作に手間が掛かり、コストも高く、又、保守点検も容易ではなかった。
【０００６】
本発明は上述の事情に鑑みなされたもので、従来のものと同じ機能を備え、且つ小型化されて安価であると共に、保守点検の容易な制御盤を提供することを目的とする。
【０００７】
【課題を解決するための手段】
上述した目的を達成するため、本発明の制御盤構造は、制御盤のシャーシを断面Ｌ型形状に構成し、前記断面Ｌ型形状のシャーシのＬ型の両面に、制御基板を取付けた第１の補助シャーシが直接取付けられ、断面Ｌ型形状のシャーシの補強体をなし、前記断面Ｌ型形状のシャーシ全体を一体のカバーで覆って箱状の構成にして、前記制御盤のシャーシ底面に第２の補助シャーシを取付け、前記第２の補助シャーシには両面に機器ユニットが搭載され、一方の面には操作を必要とする機器ユニットを取付け、もう一方の面には、操作を必要としない機器ユニットを取付け、前記操作を必要としない機器ユニットには１次側配線と２次側配線が接続され、該１次側配線は前記第２の補助シャーシに設けられた孔部を通して接続され、前記２次側配線は前記第２の補助シャーシをまたぎ、前記操作を必要とする機器ユニットに接続されていることを特徴とする。
【０００９】
又、前記一体のカバーの正面に、凹部が設けられ、該凹部にはリモコンが容易に着脱できる装着手段が設けられたことを特徴とする。
【００１０】
又、制御盤のシャーシに補助シャーシを取付け、全体を一体のカバーで覆って箱状の構成にし、前記補助シャーシには両面に機器ユニットが搭載され、一方の面には操作を必要とする機器ユニットを取付け、もう一方の面には、操作を必要としない機器ユニットを取付け、前記操作を必要としない機器ユニットには１次側配線と２次側配線が接続され、該１次側配線は前記補助シャーシに設けられた孔部を通して接続され、前記２次側配線は前記補助シャーシをまたぎ、前記操作を必要とする機器ユニットに接続されていることを特徴とする。
【００１１】
又、前記補助シャーシの後面側に取付けられた機器ユニットは、該シャーシの後面とは離隔して配置され、該機器ユニットと該シャーシの間に設けた空間を介して、他の補助シャーシの他の機器ユニットの取付け・取外しが可能であることを特徴とする。
【００１２】
又、前記カバーの凹部の深さがリモコンの厚みより大きく、リモコンがカバー面より出ないようにし、リモコン装着部の凹部の下側に、指が入る凹部を更に設け、前記リモコンが容易に着脱できるようにしたことを特徴とする。
【００１３】
又、前記カバーの材料を絶縁性の材料としたことを特徴とする。
【００１４】
【実施例】
以下、本発明の一実施例の制御盤について、図１乃至６を参照しながら説明する。
【００１５】
図１は、制御盤内部の構造を示し、図２は、カバーを取り付けた制御盤の外観を示す。シャーシ１４の底部１４Ａには、１次電源引き込み用孔２、電動機へのケーブル配線用孔３、その他外部警報信号線等の配線用の孔４が開けられている。そして、シャーシ１４には補助シャーシ２０、インバータ取付用補助シャーシ２１、制御基板取付用の補助シャーシ２２と、液面計基板取付用の補助シャーシ２３が取付けられている。
【００１６】
特に、インバータ取付用補助シャーシ２１、制御基板取付用補助シャーシ２２と液面計基板取付用補助シャーシ２３は、断面Ｌ型形状のシャーシ１４のＬ型の両面１４Ａ，１４Ｂに直接取付けられ、断面Ｌ型形状のシャーシ１４の補強体をなしている。例えばインバータ取付用補助シャーシ２１は取付孔３０，３１，３２と３３で、シャーシ１４Ａ，１４Ｂにネジ止めにより取付けられている。他の補助シャーシ２２，２３も同様に各補助シャーシの取付孔３４，３５，３６，３７等で断面Ｌ型状のシャーシ１４の両面１４Ａ，１４Ｂに取付けられている。
【００１７】
このように、制御盤の断面Ｌ型形状のシャーシに、補助シャーシを垂直に両面に取付けるため、制御盤の断面Ｌ型形状のシャーシの剛性が飛躍的に向上し、一枚だけの補強がないシャーシに比較して、シャーシの板厚を薄くできる。又、補助シャーシに制御基板を取付けるため、制御基板が底面１４Ｂに対して垂直に配置され、埃と金属粉が付着しにくく、制御基板の埃等による制御の誤動作とか、金属粉による基板上の配線の短絡事故が減少する。
【００１８】
補助シャーシ２０には電源引き込み用の角孔３８が設けられており、前面に２台の漏電遮断器８，９が配置されている。その後面には、ノイズフィルタ７が取付けられ、このノイズフィルタ７には１次側の配線４１と２次側の配線４２とが接続され、その配線４２で、ノイズフィルタ７より、漏電遮断器８へ接続し、漏電遮断器８より別の配線４３で、漏電遮断器９へ接続している。１次側の配線４１は、補助シャーシ２０の電源引き込み用の孔３８より、前方３１に出し、１次電源用端子５に接続されている。
【００１９】
図２は、断面Ｌ型形状のシャーシにカバー部を被せた状態の制御盤の外観を示す。制御盤内部では、図１に示すようなその他の必要な配線がなされ、全体がカバー１で覆われている。カバー１のほぼ中央にリモコン取付部５１が凹部として形成され、その部分にリモコン用の配線孔５２が設けられている。又、この凹部５１には、リモコンを脱着するための指の入る凹部５６が設けられている。このカバー１と断面Ｌ型形状のシャーシ１４とは図示しないビスで、シャーシ１４の両面のリブ部分１４Ａ，１４Ｂに取付けられている。
【００２０】
図３は、カバー１の凹部５１にリモコン１５が装着されている状態を示す。図４は、リモコン１５をカバー１より引き出した状況を示す。
【００２１】
リモコン１５と本体とは配線（信号線２本と電源線２本）５３で接続され、カバー１のリモコン取付用の凹部５１の奥の面５４には、リモコン取付のための装着手段５５が設けられ、道具がなくても容易にリモコン１５が装着できるように構成されている。リモコン取付用の凹部５１の下部には、リモコン１５を取外すための指が入る隙間である凹部５６が設けられていて、操作者が必要に応じて、リモコンを脱着して操作ができるようになっている。また、リモコン配線用の孔５２が凹部５１の奥側にあるので、リモコン１５を装着すると、その孔５２は隠れるだけでなく、配線類がカバーの表面に出ることがなく、リモコンの操作に邪魔にならないだけでなく、制御盤全体の見栄えがよくなる。
【００２２】
又、カバー部の凹部５１をリモコンの厚みより大きくし、リモコン取り外しのための指が入る凹部５６を設けてあり、リモコン１５が制御盤のカバー１の表面より飛び出ないために、リモコン自身の保護になる。又、下部に取り外し用の凹部５６を設けてあるので、リモコン１５とカバーの凹部５１のクリアランスを小さくできる。このため、凹部５１の中央に容易にリモコンを装着することができる。
【００２３】
リモコン１５には、図示するように運転／停止ボタン、ポンプ選択の切換ボタン、ポンプの運転状態の表示装置、各種の警報の表示装置等を備え、従来の制御盤と略同等の運転操作機能を有している。従って、本実施例の制御盤においては、ポンプの運転操作者が、リモコンを用いてポンプの発停等の操作を行う。又、この制御盤を別の場所に設置された中央監視装置等に信号線で接続し、中央から運転制御を行うようにしてもよい。
【００２４】
図５は、この制御盤の組立段階の説明図である。補助シャーシ２０にノイズフィルタ７と２台の漏電遮断器８，９とを取付ける。そして、１次側の配線４１を補助シャーシ２０の角孔３８より前方に出した状態にし、その配線箇所より別の配線４３で別の漏電遮断器９の１次側に接続を施す。そして、補助シャーシ２０の組立後に、全体をシャーシ１４の下面１４Ａに取付ける。
【００２５】
このように、補助シャーシの前面と後面に電気部品が搭載でき、前面側に操作を必要とする機器を取付け、その後面側には、操作を必要としない機器を取付け、後面の取付機器には１次側配線と２次側配線が取付けられ、１次側配線は補助シャーシの孔部を通して前面より後面に引込み、後面の機器の２次側配線が補助シャーシをまたぎ、前側に操作を必要とする機器に接続されている機器ユニットとなっている。
【００２６】
補助シャーシの両面に電気部品が搭載されているので、補助シャーシの前後面の空間が有効的に利用でき、前面に操作できる機器を取付けているので、制御盤内に取付けても、操作上の不便がない。
また、後面に取付けている機器にはすでに１次側配線と２次側配線が接続され、１次側配線は補助シャーシの孔部を通して前面に導かれ、前面側の機器と後面側の機器との間は、すでに配線がなされているので、そのままの状態で、制御盤内に補助シャーシ取付けできる。
【００２７】
次に、ノイズフィルタの取付状態を図６に示す。この図は、図５の制御盤内部を側面より（紙面の右側より）見た状態を示している。補助シャーシ２０の奥側には、インバータ取付用補助シャーシ２１にインバータ１１が、ビス４４〜４８の５本で取付けられ、シャーシの両面１４Ａ，１４Ｂに固定されている。補助シャーシ２０にノイズフィルタの基板７がスペーサ４９を介して取付けられ、そのスペーサ部分の空間を通して、インバータ取付のビス４８に、ドライバーを当て、取付けまたは取外しができるようになっている。
【００２８】
このように本実施例では、補助シャーシ後面側に取付けられた操作を必要としない機器と補助シャーシの後面との間に空間が設けられている。この空間が、機器ユニットの隣にある機器の取付け・取外しに必要な空間となっているため、隣接するシャーシに機器を取付ける場合でも、その取付け・取外しのための空間を特に設けなくてよくなる。このため、制御盤が小型化でき、そこに使用されるシャーシの板材、カバーの材料又は制御盤内の結線のための線材が少なくてすむために、経済的である。
【００２９】
このように、制御盤のシャーシを断面がＬ型形状に構成し、全体を一体のカバーで覆う構造にしたために、制御盤の中に収納する機器ユニット類の取付けが、３方向からできる。このため、制御盤内を立体的に使用できるようになり、従来の前面からの１方向より機器ユニットを取付ける制御盤と比較して、より小型にできる。また、使用中の維持管理でも、従来の制御盤は、メンテナンスできる方向が一方向の前面に限られているので、各種の機器ユニット類が取付けられている基板を一旦、シャーシから取外して、交換等を行わなければならない場合もあり、大変煩雑であった。本発明の制御盤は、一体型のカバーを外すと３方向から部品の交換ができるので、保守点検が容易となる。
【００３０】
制御盤のカバー材料は、ポリエチレン或いは塩化ビニール等の樹脂を用いている。従って、電気的に絶縁できるため、制御盤内の取付機器類又は配線類との間の距離を保つ必要がなく、カバーのサイズをさらに小さくできる。このため、小型化に寄与するだけでなく、製作に必要な材料を節約できるので経済的である。
【００３１】
尚、以上の実施例に説明した制御盤構造は、ポンプの運転制御のための制御盤についてのものであるが、本発明の趣旨は上述した用途に限定されるものでなく、広く各種の制御装置を収納する盤に適用可能である。
【００３２】
【発明の効果】
以上に説明したように本発明によれば、断面Ｌ型形状のシャーシに補助シャーシを組合わせることにより、構造がコンパクトで、且つ保守点検の容易な制御盤を提供することができる。
【図面の簡単な説明】
【図１】本発明の一実施例の制御盤内部構造の斜視図。
【図２】図１に示す制御盤のカバーの斜視図。
【図３】図１に示す制御盤のカバーを取付けた状態の透過斜視図。
【図４】図３に示す制御盤のリモコン部分の拡大図。
【図５】漏電遮断機とノイズフィルタを取付けた補助シャーシの斜視図。
【図６】図５の補助シャーシを側面から見た図。
【図７】従来の制御盤の内部構造の斜視図。
【図８】従来の制御盤の扉を取付けた状態の斜視図。
【図９】従来の制御盤における各種機器ユニットを取付けた状態のシャーシの平面図。
【符号の説明】
１    カバー
７    ノイズフィルタ
８，９  漏電遮断機
１０，１１  インバータ
１４    断面Ｌ型形状のシャーシ
１４Ａ，１４Ｂ  断面Ｌ型形状のシャーシの両面
１５    リモコン
２０，２１，２２  補助シャーシ
５１    リモコンを装着するための凹部
５６    リモコンを脱着するための指の入る凹部
【図１】
0003637986.tif 000002
【図２】
0003637986.tif 000003
【図３】
0003637986.tif 000004
【図４】
0003637986.tif 000005
【図５】
0003637986.tif 000006
【図６】
0003637986.tif 000007
【図７】
0003637986.tif 000008
【図８】
0003637986.tif 000009
【図９】
0003637986.tif 000010